(57)【要約】【課題】  夜間などにおいても、室内灯などを点灯させることなく、着脱式の操作パネルの装着位置を案内する。【解決手段】  電子機器本体１１と、電子機器本体１１に対して着脱可能に構成された着脱型操作パネル１２と、を備え、電子機器本体１１に設けられたＬＥＤ照明装置２４Ａ、２４Ｂにより着脱型操作パネル１２の照明を行う車載用電子機器１０において、着脱型操作パネル１２の非装着時にＬＥＤ照明装置２４Ａ、２４Ｂにより着脱型操作パネル１２の装着位置を案内するための案内用照明を行う。【選択図】      図１
2007015632.tif 000002
【特許請求の範囲】
【請求項１】
機器本体と、前記機器本体に対して着脱可能に構成された操作パネルと、を備え、前記機器本体に設けられた照明装置により前記操作パネルの照明を行う車載用電子機器において、
前記操作パネルの非装着時に前記照明装置により前記操作パネルの装着位置を案内するための案内用照明を行うことを特徴とする車載用電子機器。
【請求項２】
請求項１記載の車載用電子機器において、
前記案内用照明の輝度は、前記操作パネルの照明の輝度よりも低く設定されていることを特徴とする車載用電子機器。
【請求項３】
請求項１または請求項２記載の車載用電子機器において、
前記機器本体への電源投入時から所定期間の間、かつ、前記操作パネルの非装着時に前記案内用照明を行うことを特徴とする車載用電子機器。
【請求項４】
請求項３記載の車載用電子機器において、
前記機器本体への電源投入を検出する電源投入検出部と、
前記機器本体に前記操作パネルが装着されたか否かを検出する装着状態検出部と、
を備えたことを特徴とする車載用電子機器。
【請求項５】
機器本体と、前記機器本体に対して着脱可能に構成された操作パネルと、を備え、前記機器本体に設けられた照明装置により前記操作パネルの照明を行う車載用電子機器の制御方法において、
前記操作パネルの非装着状態を検出する過程と、
前記非装着状態において、前記照明装置により前記操作パネルの装着位置を案内するための案内用照明を行う過程と、
を備えたことを特徴とする車載用電子機器の制御方法。
【請求項６】
請求項５記載の車載用電子機器の制御方法において、
前記案内用照明の輝度は、前記操作パネルの照明の輝度よりも低く設定されていることを特徴とする車載用電子機器の制御方法。
【請求項７】
請求項５または請求項６記載の車載用電子機器の制御方法において、
前記機器本体への電源投入時から所定期間の間、かつ、前記操作パネルの非装着時に前記案内用照明を行うことを特徴とする車載用電子機器の制御方法。
【請求項８】
操作パネルと、着脱可能に構成された前記操作パネルが装着されたか否かを検出する装着状態検出部を有する機器本体と、を備え、前記機器本体に設けられた照明装置により前記操作パネルの照明を行う車載用電子機器をコンピュータにより制御する制御プログラムにおいて、
前記操作パネルの非装着状態を検出させ、
前記非装着状態において、前記照明装置により前記操作パネルの装着位置を案内するための案内用照明を行わせる、
ことを特徴とする制御プログラム。
【発明の詳細な説明】
【技術分野】
【０００１】
本発明は、車載用電子機器、車載用電子器の制御方法および制御プログラムに係り、特に着脱型の操作パネルを備えた車載用電子機器における照明技術に関する。
【背景技術】
【０００２】
従来よりカーオーディオ装置、カーナビゲーション装置などの車載用電子機器において、着脱式の操作パネルを有するものが知られている。
このような車載用電子機器においては、車載用電子機器本体に内蔵した光源を用いて、着脱式の操作パネルの照明を行うものも提案されている（例えば、特許文献１参照）。
【特許文献１】特開平７−２８５３８７号公報
【発明の開示】
【発明が解決しようとする課題】
【０００３】
上記従来の車載用電子機器においては、着脱式の操作パネルを外している状態では、何ら照明がなされていないため、夜間などにおいては、装着位置がわかりにくくいという問題点があった。
そこで、本発明の目的は、夜間などにおいても、室内灯などを点灯させることなく、着脱式の操作パネルの装着位置を案内することが可能な車載用電子機器、車載用電子器の制御方法および制御プログラムを提供することにある。
【課題を解決するための手段】
【０００４】
上記課題を解決するため、機器本体と、前記機器本体に対して着脱可能に構成された操作パネルと、を備え、前記機器本体に設けられた照明装置により前記操作パネルの照明を行う車載用電子機器において、前記操作パネルの非装着時に前記照明装置により前記操作パネルの装着位置を案内するための案内用照明を行うことを特徴としている。
上記構成によれば、操作パネルの非装着時には照明装置により操作パネルの装着位置を案内するための案内用照明がなされるため、容易に装着位置を認識できる。
【０００５】
この場合において、前記案内用照明の輝度は、前記操作パネルの照明の輝度よりも低く設定されているようにしてもよい。
また、前記機器本体への電源投入時から所定期間の間、かつ、前記操作パネルの非装着時に前記案内用照明を行うようにしてもよい。
さらに、前記機器本体への電源投入を検出する電源投入検出部と、前記機器本体に前記操作パネルが装着されたか否かを検出する装着状態検出部と、を備えるようにしてもよい。
【０００６】
また、機器本体と、前記機器本体に対して着脱可能に構成された操作パネルと、を備え、前記機器本体に設けられた照明装置により前記操作パネルの照明を行う車載用電子機器の制御方法において、前記操作パネルの非装着状態を検出する過程と、前記非装着状態において、前記照明装置により前記操作パネルの装着位置を案内するための案内用照明を行う過程と、を備えたことを特徴としている。
この場合において、前記案内用照明の輝度は、前記操作パネルの照明の輝度よりも低く設定されているようにしてもよい。
【０００７】
また、前記機器本体への電源投入時から所定期間の間、かつ、前記操作パネルの非装着時に前記案内用照明を行うようにしてもよい。
また、操作パネルと、着脱可能に構成された前記操作パネルが装着されたか否かを検出する装着状態検出部を有する機器本体と、を備え、前記機器本体に設けられた照明装置により前記操作パネルの照明を行う車載用電子機器をコンピュータにより制御する制御プログラムにおいて、前記操作パネルの非装着状態を検出させ、前記非装着状態において、前記照明装置により前記操作パネルの装着位置を案内するための案内用照明を行わせる、ことを特徴としている。
【発明の効果】
【０００８】
本発明によれば、夜間などにおいても、室内灯などを点灯させることなく、着脱式の操作パネルの装着位置を案内することができる。
【発明を実施するための最良の形態】
【０００９】
次に本発明の好適な実施形態について図面を参照して説明する。
図１は実施形態の車載用電子機器の概要構成ブロック図である。
車載用電子機器１０は、大別すると、車載のバッテリーＢよりアクセサリスイッチ（ＡＣＣスイッチ）を介して電源が供給される電子機器本体１１と、操作ボタンを含む各種操作子を備え、電子機器本体１１に着脱可能に構成された着脱型操作パネル（ＤＣＰ）１２と、を備えている。
【００１０】
図２は、着脱型操作パネル非装着状態における車載用電子機器の外観斜視図である。
図３は、着脱型操作パネルの背面斜視図である。
電子機器本体１１は、アクセサリスイッチに電気的に接続された電源スイッチ２１と、車載用電子機器１０全体の制御を行うシステムコントローラ２２と、当該電子機器本体１１に着脱型操作パネル１２が装着されたことを検出するためのパネル着脱検出用スイッチ２３と、照明装置を構成する一対のＬＥＤ照明装置２４Ａ、２４Ｂと、を備えている。
【００１１】
この場合において、ＬＥＤ照明装置２４Ａ、２４Ｂは、着脱型操作パネル１２の非装着時において電源投入後所定時間の間だけ着脱型操作パネル１２の装着位置を案内するための案内照明を行うとともに、着脱型操作パネル１２の装着時には、着脱型操作パネル１２の側面にその端部が設けられた導光部材１２Ａを介して、操作ボタンなどの操作子の照明あるいは表示用照明を行うものである。
着脱型操作パネル１２の表面側には、操作子２６Ａ〜２６Ｇが設けられ、背面には、パネル着脱検出用突起２７が設けられている。
【００１２】
この場合において、着脱型操作パネル１２内には、操作子２６Ａ〜２６Ｇを押圧操作した場合に着脱型操作パネル１２の裏面から操作突片（図示せず）が機械的な機構により突出するように構成されている。そして、電子機器本体１１の着脱型操作パネル１２の対向する電子機器本体１１の表面パネルの裏面側には、着脱型操作パネル１２から突出された操作突片により押圧される電気的スイッチ（図示せず）が、操作突片が電子機器本体１１の表面パネルに形成された孔を介して当接可能に設けられている。これらの結果、電気的スイッチのオン／オフ状態により、電子機本体１１のシステムコントローラ２２は、ユーザの操作状態を検出することとなっている。このような構成を採ることにより、着脱型操作パネル１２側には回路基板、コネクタなどを設ける必要がなく、着脱型操作パネル１２を落下させてしまうなど多少乱暴に扱ったとしても、接触不良などに起因する不具合が生じることがなく、取扱いが容易となっている。
【００１３】
図４に電子機器本体の制御系のブロック図を示す。
システムコントローラ２２は、制御プログラムなどを予め記憶したＲＯＭ３１、一時的にデータを格納するＲＡＭ３２および制御プログラムに基づいて車載用電子機器全体を制御するＭＰＵ３３を備えている。ここで、ＲＯＭ３１、ＲＡＭ３２およびＭＰＵ３３は、マイクロコンピュータを構成している。
さらにシステムコントローラ２２は、電源スイッチ２１およびパネル着脱検出用スイッチ２３が接続され、それらとの間でインターフェース動作を行うインターフェース部３４と、ＬＥＤ照明装置２４Ａ、２４Ｂを駆動するための照明駆動部３５と、を備えている。
【００１４】
図５は、車載用電子機器１０の要部断面図である。
図５に示すように、着脱型操作パネル１２の操作子２６Ａ〜２６Ｇの背面側には、導光部材１２Ａが配置されている。
そして、この導光部材１２の左右方向の端面には、ＬＥＤ照明装置２４Ａを構成するＬＥＤ２４Ａ１およびＬＥＤ照明装置２４Ｂを構成するＬＥＤ２４Ｂ１が対向するように配置されており、ＬＥＤ２４Ａ１、ＬＥＤ２４Ｂ１から照明光が出射されると、照明光は、導光部材１２に導かれ操作子２６Ａ〜２６Ｇを背面から照射することとなる。
【００１５】
次に実施形態の動作を説明する。
図６は、実施形態の処理フローチャートである。
まず、システムコントローラ２２のＭＰＵ３３は、インターフェース部３４を介して、電源スイッチ２１がオンされたか否かを判別する（ステップＳ１）。ステップＳ１の判別において、電源がスイッチ２１がオンされていない場合には、待機状態となる。
ステップＳ１の判別において、電源スイッチ２１がオンされた場合には、インターフェース部３４を介して、着脱型操作パネル１２が装着されているか否かを判別する（ステップＳ２）。具体的には、着脱型操作パネル１２が装着されたことに起因して、着脱型操作パネル１２背面には、パネル着脱検出用突起２７がパネル着脱検出用スイッチ２３がオン状態となることを検出して、ＭＰＵ３３は、着脱型操作パネル１２が装着されていると判別することとなる。
【００１６】
ステップＳ２の判別において、操作パネルが装着されている場合には（ステップＳ２；Ｙ）、コントローラは照明装置を制御し、操作時における通常の輝度で操作パネルの照明を行わせる（ステップＳ３）。
そして、コントローラは、操作パネルが取り外されたか否かを判別する（ステップＳ４）。
ステップＳ４の判別において、パネルが取り外されていない場合には（ステップＳ４；Ｎ）、コントローラは、電源がオフされたか否かを判別する（ステップＳ５）。
【００１７】
ステップＳ５の判別において、電源がオフされていない場合には（ステップＳ５；Ｎ）、処理をステップＳ３に移行し、照明を継続する。
ステップＳ５の判別において、電源がオフされた場合には（ステップＳ５；Ｙ）、コントローラは、照明装置を制御し、照明をオフし（ステップＳ１０）、処理を終了する。
一方、ステップＳ４の判別において、パネルが取り外された場合には（ステップＳ４；Ｙ）、コントローラは、照明装置を制御し、照明をオフし（ステップＳ１０）、処理をステップＳ１に移行し、待機状態となる。
【００１８】
また、ステップＳ２の判別において、操作パネルが装着されていない場合には（ステップＳ２；Ｎ）、コントローラは、タイマーを起動するとともに（ステップＳ６）、照明装置を制御し、操作パネル装着位置案内用の輝度、すなわち、操作時における通常の輝度よりも低輝度で操作パネル装着予定位置の照明を行わせる（ステップＳ７）。
続いてコントローラは、タイマーがカウントアップしたか否かを判別する（ステップＳ８）。
ステップＳ８の判別において、タイマーがカウントアップした場合には、コントローラは、無駄な電力の消費を抑制すべく、照明装置を制御し、照明をオフし（ステップＳ１０）、処理をステップＳ１に移行し、待機状態となる。
【００１９】
ステップＳ８の判別において、いまだタイマーがカウントアップしていない場合には（ステップＳ８；Ｎｏ）、コントローラは、操作パネルがユーザにより装着されたか否かを判別する（ステップＳ９）。
ステップＳ９の判別において、操作パネルがユーザにより装着された場合には（ステップＳ９；Ｙ）、コントローラは処理をステップＳ３に移行し、操作時における通常の輝度で操作パネルの照明を行わせ（ステップＳ３）、以下、同様に処理を継続する。
一方、ステップＳ９の判別において、操作パネルがいまだ装着されていない場合には、コントローラは、処理を再びステップＳ８に移行することとなる。
【００２０】
以上の説明のように、本実施形態によれば、電源投入から所定期間の間であって、着脱型操作パネル１２が装着されていない場合には、着脱型操作パネル１２の操作子を照明するためのLＥＤ照明装置２４Ａ、２４Ｂにより着脱型操作パネル１２の装着位置を案内するための照明を行えるため、室内灯などを点灯させることなく、ユーザは、着脱型操作パネル１２の装着位置を認識することが可能となる。
【００２１】
以上の説明においては、着脱型操作パネル１２の装着時と非装着時とで輝度を変更する構成としていたが、輝度に加えて照明パターン（点滅パターンやフルカラーＬＥＤの場合には照明色パターンなど）を変更するように構成することも可能である。
【００２２】
以上の説明においては、制御プログラムが予めＲＯＭに記憶されている場合について説明したが、各種磁気ディスク、光ディスク、メモリカードなどの記録媒体に制御用プログラムをあらかじめ記録し、これらの記録媒体から読み込み、インストールするように構成することも可能である。また、通信インターフェースを設け、インターネット、ＬＡＮなどのネットワークを介して制御用プログラムをダウンロードし、インストールして実行するように構成することも可能である。このように構成することにより、ソフトウェア的により高機能としたり、より信頼性の車載用電子機器を構成することが可能となる。
【図面の簡単な説明】
【００２３】
【図１】実施形態の車載用電子機器の概要構成ブロック図である。
【図２】着脱型操作パネル非装着状態における車載用電子機器の外観斜視図である。
【図３】着脱型操作パネルの背面斜視図である。
【図４】電子機器本体の制御系のブロック図を示す。
【図５】車載用電子機器の要部断面図である。
【図６】実施形態の処理フローチャートである。
【符号の説明】
【００２４】
１０  車載用電子機器
１１  電子機器本体
１２  着脱型操作パネル（ＤＣＰ）
２１  電源スイッチ
２２  システムコントローラ
２３  パネル着脱検出用スイッチ（装着状態検出部）
２４Ａ、２４Ｂ  ＬＥＤ照明装置（照明装置）
２７  パネル着脱検出用突起（装着状態検出部）
【図１】
2007015632.tif 000003
【図２】
2007015632.tif 000004
【図３】
2007015632.tif 000005
【図４】
2007015632.tif 000006
【図５】
2007015632.tif 000007
【図６】
2007015632.tif 000008